(57)【要約】      （修正有）【課題】カードの出し入れが簡単で、かつ預金通帳やパスポートなども収納できる多目的カード入れを提供する。【解決手段】矩形状の基板シート２を横長にし、その左右に、預金通帳などが収まる大きさの収納部３，３を形成するシート素材として、前記基板シート２の略半分の幅のシート素材を重ねるとともに、その収納部３より少し幅の狭いシート素材で、かつ、上下部位にカードの半分程度の大きさのスライド開口穴４，４を並列に設けたシート素材を、前記左右二つの収納部３，３の外側寄りに合わせて重ねた上で、前記基板シート２と収納部３とスライド開口穴４付きシート素材の上下及び外側寄り端部を高周波による溶着部５をもって接着して、前記左右二つの収納部３，３面に上下二つのカード収納部６，６を形成して成るカード入れ本体７を形成した前記収納部３，３に台紙８，８を組み合わせて成るカード入れ本体７を二つ折りして成る多目的カード入れ１を構成する。【選択図】図１
0003148171.tif 000002
【実用新案登録請求の範囲】
【請求項１】
矩形状の基板シートの左右に、預金通帳などを納められる大きさの収納部を二つ形成し、該収納部の上面に重ねるようにして、上下並列にスライド開放穴を施した二つのカード収納部を設けたカード入れ本体を形成し、該カード入れ本体を二つ折りして成る構成を特徴とする多目的カード入れ。
【請求項２】
前記する収納部に、適度な腰の強さがある台紙を組み合わせて成る請求項１に記載する多目的カード入れ。
【請求項３】
前記するカード収納部のスライド開放穴の形状が、外側端部寄りが円弧縁で形成して成る請求項１又は請求項２に記載する多目的カード入れ。
【請求項４】
前記する基板シートと収納部とスライド開放穴付きカード収納部を形成する素材が、透明素材で形成して成る請求項１から請求項３のいずれかに記載する多目的カード入れ。
【考案の詳細な説明】
【技術分野】
【０００１】  本考案は、カードタイプの保健証や診察券の他、銀行カードやパスモ、スイカの他に、預金通帳などの乗車カードなどを４枚区分けして出し入れ自在に収納できるとともに、カラー台紙を組み合わせで一目で誰のものか分かる機能的な多目的カード入れに関する。
【背景技術】
【０００２】  従来の保険証は、三つ折りした保健証を専用の薄いビニールケースに入れて交付しており、必要な時は診察券とともにそのまま病院の窓口に出したり、時には診察券入れにも利用していた。【０００３】  また、最近は保険証も、診察券や銀行カードと同時じ大きさのカードタイプに変更されたため、財布のカード入れに納めたり、個別に専用のカードケースを用いている。またカードケースの一つとして、ケース面に長方形の穴を設けることでカードをスライドさせて片手で取り出すことができるカード入れがある（例えば、特許文献１参照）
【特許文献１】公開実用新案公報平２−１４４４８１
【考案の開示】
【考案が解決しようとする課題】
【０００４】  前記するような保険証入れがあるが、これは次のような不便や欠点がある。まず、従来のビニールケースに入れた保健証は、両端の袋部に保健証を差し入れたタイプとして中ほどは空いているので、左右いずれかの袋部にカードサイズの診察券を入れられるが、診察券は小さいので時には落として無くしてしまうなどの不便があるし、最近は保険証もカードサイズになったので対応できない。【０００５】  また、公開実用新案公報平２−１４４４８１に開示される技術は、カード専用のケース面に長方形の穴を設けることで、取り出す時は穴からカードに指を当ててスライドさせると、ワンタッチでカードを取り出せる専用のカードケースである。【０００６】  しかし、このカードケースは一枚しか入れられないので、複数枚携行する場合は、そのカード枚数と同数のケースを持ち歩かなくてはならないなどの面倒があり、数多くあると必要なカードを一々見ながら探さなければならないなどの手間や不便があった。
【課題を解決するための手段】
【０００７】  本考案は前記するような不便や欠点を解消するために、請求項１においては、矩形状の基板シートの左右に、預金通帳などを納められる大きさの収納部を二つ形成し、該収納部の上面に重ねるようにして、上下並列にスライド開放穴を施した二つのカード収納部を設けたカード入れ本体を形成することで、カードの出し入れが簡単で、かつ預金通帳やパスポートなども収納できる多目的カード入れとする。【０００８】  請求項２においては、前記する収納部に、適度な腰の強さがあるカラーの台紙を組み合わせることで、色の種類で誰のものか一目で分かるようにする。【０００９】  請求項３においては、前記するカード収納部のスライド開放穴の形状が、外側端部寄りを円弧縁で形成することで、カードの差し入れ時にスムーズに収納できるものとする。【００１０】  請求項４においては、前記する基板シートと収納部とスライド開放穴付きカード収納部を形成する素材を透明素材で形成することで、台紙の色の識別やカードの種別を見やすくする。
【考案の効果】
【００１１】  本考案におけるカード入れは、カード入れ本体が二つ折りされる内側左右面に、二つの収納部を設けるとともに、その収納部面に重ねるようにカードサイズの保健証や診察券等を納められるカード収納部を４か所設けているので、例えば、病院に行く際は必ず必要な保健証と診察券の他に、交通に使うパスモやスイカなどのカードも機能的に保持できるので、高齢者が病院に行くにも買い物に行くにもこのカード入れ一つ携行するだけで済む。【００１２】  さらにカード入れ本体が透明で、かつ色違いの台紙を組み合わせた場合は、家族が多い場合でも中身を見ないで誰のものか一目で判別できるうえ、収納部は大きいので預金通帳やパスポートの他に領収書やメモなども機能的に収納できる。【００１３】  加えて、カード収納部に設けたスライド開口穴は大きいので、カードの種別を見るのも簡単であるうえ、開口穴が大きいので指をカードに当ててスライドさせるだけで取り出せるので、指の動きが衰えた高齢者はもとより、身体に障害がある人や目の不自由な人でもきわめて容易に出し入れができる。【００１４】  さらに、カード入れ本体は安価な素材のビニールで、かつ製造における型代も廉価である。また収納部に入れる台紙にはプリントも容易であるので、電話番号表や持ち主の持病や血液型など表記するのもよいし、企業名など印刷すると、安価でだれでも便利に使えて喜ばれるノベルティ商品としても効果的な多目的カード入れを提供できます。
【考案を実施するための最良の形態】
【００１５】  本考案のカード入れの第１実施形態を、図１に示す一部分解した展開図と図２に示す拡大斜視図で説明する。
本考案によるカード入れ１は、適度な厚さと柔軟性ある透明ビニールなどの樹脂シート素材による矩形状の基板シート２を横長にし、その左右に、預金通帳やパスポートなどが収まる大きさの収納部３，３を形成するシート素材として、前記基板シート２の略半分の幅のシート素材を重ねるとともに、その収納部３より少し幅の狭いシート素材で、かつ、上下部位にカードの半分程度の大きさのスライド開口穴４，４を二つ並列に設けたシート素材を、前記した二つの収納部３，３の外側寄り端部に合わせて重ねた上で、前記基板シート２と収納部３のシートとスライド開口穴４付きシート素材の上下及び外側寄り端部と、前記二つのスライド開口穴４，４の間を高周波による溶着部５をもって接着して、前記左右二つの収納部３，３面に、上下二つのカード収納部６，６を併設して成るカード入れ本体７を形成する。【００１６】  さらに、以上のようなカード入れ本体７の左右二つ収納部３，３内には、適度な腰の強さのカラーの台紙８，８を組み合わせて成る基板シート２中央上部と中ほど部に、各二つの吊穴９，９を施したカード入れ本体７を二つ折りして、本考案による第１実施形態のカード入れ１を構成する。【００１７】  第１実施形態によるカード入れ１は、透明な基板シート２面の左右に収納部３を設け、その収納部３に赤青黄などのカラーの台紙８差しを入れると、外からでも色の違いで誰のカード入れ１か一目で判別できる。さらに、収納部３上面のカード収納部６，６には大きなスライド開口穴４が施されているので、カードを取り出す時はカード面に指を当ててスライドさせるだけでカードを簡単に取り出せる。さらに前記収納部３は大きいのでパスポートや預金通帳、年金手帳などの他に、メモや領収書なども納められるカード入れ１となる。【００１８】  第２実施形態によるカード入れを、図３に示すカード入れ本体を示す展開斜視図で説明する。
第２実施形態におけるカード入れ１の基本形態は前記第１実施形態と同様であるが、まず、カード入れ本体７は、基板シート２の内側左右に収納部３，３と、その収納部３，３面に重ねて成る二つのカード収納部６，６を有するカード入れ本体７を形成するが、前記カード収納部６，６に設ける左右のスライド開口穴４ａ，４ａの形状が、外側端部寄りが狭くなる円弧縁１０を有するドングリ状のスライド開口穴４ａ，４ａを形成して成るカード入れ１を構成する。【００１９】  第２実施形態によるカード入れ１は、基本は前記第１実施形態と同様であるが、カード収納部６に設けたスライド開口穴４ａの形状が、奥側、つまり外側端部寄りの縁が円弧縁１０を成す形状であるので、カードを差し入れる際にスライド開口穴４ａの縁に引っ掛ったりせずスムーズに収納できるカード入れ１を構成する。
【図面の簡単な説明】
【００２０】
【図１】本考案のカード入れの第１実施形態を示す一部分解した展開図である。
【図２】第１実施形態のカード入れを示す一部を欠いた拡大斜視図である。
【図３】第２実施形態のカード入れ本体を示す展開斜視図である。
【符号の説明】
【００２１】１  カード入れ
２  基板シート
３  収納部
４  スライド開口穴
４ａ  スライド開口穴
５  溶着部
６  カード収納部
７  カード入れ本体
８  台紙
９  吊穴
１０  円弧縁
【図１】
0003148171.tif 000003
【図２】
0003148171.tif 000004
【図３】
0003148171.tif 000005